(57)【要約】【課題】使用期間が長期間化しても、ディスク形記録媒体の外表面を傷付けることを防止することができるアクチュエータ装置および光ピックアップ装置を提供する。【解決手段】アクチュエータ装置３は光ディスクＤから情報を読み取るためのレーザ光が通される対物レンズ６と対物レンズ６が取り付けられたレンズホルダ９とレンズホルダ９をトラッキング方向Ｔとフォーカス方向Ｆとの双方に移動させる駆動部とを備えている。さらにアクチュエータ装置３はレンズホルダ９に設けられかつ対物レンズ６に光ディスクＤが接触することを防止する緩衝部材１６と緩衝部材１６の外表面に設けられかつレーザ光によって活性化される光触媒物質を含んだ光触媒層１７とを備えている。【選択図】図５
2009032301.tif 000002
【特許請求の範囲】
【請求項１】
ディスク形記録媒体から情報を読み取るためのレーザ光が通される対物レンズと、前記対物レンズが取り付けられた本体部と、前記本体部を前記ディスク形記録媒体の径方向と厚み方向との双方に移動させる駆動部とを備えたアクチュエータ装置において、
前記本体部に設けられかつ前記対物レンズに前記ディスク形記録媒体が接触することを防止する緩衝部材と、
前記緩衝部材の外表面に設けられかつ前記レーザ光によって活性化される光触媒物質を含んだ光触媒層と、を備えたことを特徴とするアクチュエータ装置。
【請求項２】
前記ディスク形記録媒体によって反射された前記レーザ光が前記光触媒層に照射される際に、前記駆動部に前記本体部を移動させる制御手段を備えたことを特徴とする請求項１記載のアクチュエータ装置。
【請求項３】
前記駆動部が前記本体部を移動させる際に、前記本体部の共振周波数で移動させることを特徴とする請求項２記載のアクチュエータ装置。
【請求項４】
請求項１乃至３のいずれか一項に記載のアクチュエータ装置を備えた光ピックアップ装置。
【発明の詳細な説明】
【技術分野】
【０００１】
本発明は、光ディスク再生装置などに使用される光ピックアップ装置および、該光ピックアップ装置に使用され対物レンズをフォーカスおよびトラッキング方向に駆動するアクチュエータ装置に関する。
【背景技術】
【０００２】
光ディスク再生装置などに使用される光ピックアップ装置は、ＣＤ（Compact Disk）やＤＶＤ（Digital Versatile Disc）やＢＤ（Blu-ray Disc）などのディスク形記録媒体としての光ディスクに記録された情報を読み取るために、前述したＣＤやＤＶＤやＢＤなどから情報を読み取るためのレーザ光が通される対物レンズと、当該対物レンズを取り付けた本体部などを備えている。
【０００３】
前述した特許文献１などに示された従来のアクチュエータ装置即ち光ピックアップ装置は、対物レンズにディスク形記録媒体が衝突することを防止するための緩衝部材を前述した本体部に取り付けている。
【特許文献１】特開２００１−０６０３２８号公報
【発明の開示】
【発明が解決しようとする課題】
【０００４】
また、光ピックアップ装置は、光ディスク再生装置の小型化を図るために、勿論、それ自身もより小型化であることが求められている。このため、光ピックアップ装置のアクチュエータ装置は、対物レンズがよりディスク形記録媒体に近接する傾向である。即ち、緩衝部材のディスク形記録媒体との間隔がより狭くなる傾向であった。特に、記録容量の多いディスク形記録媒体に対応するアクチュエータ装置ほど上記間隔が狭くなり、外部からの衝撃や振動等によって緩衝部材がディスク形記録媒体に接触しやすい傾向であった。
【０００５】
一方、前述した緩衝部材は、ディスク形記録媒体に接触しても傷が付かないような材料が選択される。しかし、光ピックアップ装置は、その使用期間が長期間化すると、その内部に各種の有機物や無機物からなる塵や埃が侵入してこの緩衝部材に付着することがある。特に、使用期間が長期間化すると、緩衝部材の外表面上に有機物が固化し、この固化した有機物により埃や塵が密着して、これら密着した塵や埃によって、ディスク形記録媒体の表面が傷付けられることが考えられる。
【０００６】
したがって、本発明の目的は、例えば、使用期間が長期間化しても、ディスク形記録媒体の外表面を傷付けることを防止することができるアクチュエータ装置および光ピックアップ装置を提供することにある。
【課題を解決するための手段】
【０００７】
前記課題を解決し目的を達成するために、請求項１に記載の本発明は、ディスク形記録媒体から情報を読み取るためのレーザ光が通される対物レンズと、前記対物レンズが取り付けられた本体部と、前記本体部を前記ディスク形記録媒体の径方向と厚み方向との双方に移動させる駆動部とを備えたアクチュエータ装置において、前記本体部に設けられかつ前記対物レンズに前記ディスク形記録媒体が接触することを防止する緩衝部材と、前記緩衝部材の外表面に設けられかつ前記レーザ光によって活性化される光触媒物質を含んだ光触媒層と、を備えたことを特徴としている。
【発明を実施するための最良の形態】
【０００８】
以下、本発明の一実施形態にかかるアクチュエータ装置を説明する。本発明の一実施形態にかかるアクチュエータ装置は、対物レンズにディスク形記録媒体が接触することを防止する緩衝部材の外表面に光触媒層を形成したので、ディスク形記録媒体によって反射されたレーザ光によって、当該光触媒層の光触媒物質が活性化する。こうすることで、緩衝部材に有機物からなる埃や塵が付着しても、当該有機物が分解されて、無機物からなる埃や塵が当該緩衝部材に密着することを防止できる。こうして、本発明のアクチュエータ装置は、使用期間が長期間化しても、ディスク形記録媒体の外表面を傷付けることを防止することができる。
【０００９】
また、ディスク形記録媒体から反射されたレーザ光が光触媒層に照射される際に、駆動部に本体部を移動させる制御手段を備えても良い。この場合、本体部の移動によりレーザ光の照射方向あるいは照射範囲を変更させるので、ディスク形記録媒体から情報を読み取るためのレーザ光を光触媒層に照射することが可能となる。これにより光触媒層を照射するための新たな光源を設ける必要がないので、コストアップや構造の複雑化、または装置の大型化を抑制しながら、ディスク形記録媒体の外表面を傷付けることを防止できる。
【００１０】
さらに、駆動部が本体部を移動させる際に、本体部の共振周波数で移動させても良い。この場合、本体部の振幅を大きくすることができるので、有機物を分解した後に、緩衝部材から無機物からなる埃や塵をより速やかに除去することができる。
【００１１】
また、光ピックアップ装置に請求項１乃至３のいずれか一項に記載のアクチュエータ装置を備えてもよい。このようにすることによって、使用期間が長期間化しても、緩衝部材から無機物からなる埃や塵を除去することができ、ディスク形記録媒体の外表面を傷付けることを防止することができる。
【実施例１】
【００１２】
本発明の第１の実施例にかかる光ピックアップ装置１を、図１ないし図８を参照して説明する。光ピックアップ装置１は、ＣＤ、ＤＶＤ、ＢＤ等のディスク形記録媒体としての光ディスクＤ（図５中に示す）に記録された情報を再生する情報処理装置としての光ディスク再生装置などに用いられ、ＣＤ、ＤＶＤ、ＢＤ等の光ディスクＤに記録された情報を読み取るために、光ディスクＤの反りや振れに対して光ディスクＤの記録面と後述する対物レンズ６との距離を制御するフォーカス制御と、光ディスクＤのトラックの偏心に対して対物レンズ６を追従するように制御するトラッキング制御を行う。図１は本発明の第１の実施例にかかる光ピックアップ装置１の要部斜視図である。
【００１３】
光ピックアップ装置１は、図１に示すように、ピックアップケース２と、アクチュエータ装置３と、を備えている。ピックアップケース２は、アクチュエータ装置３が固定されるとともに、光源１２（図５に示す）と、コリメータレンズ、ビームスプリッタ、受光器などの光学部品Ｂ（図５に示す）が収容されている。光学部品Ｂは、情報読み取り用の光源１２から発生する前述した光ディスクＤから情報を読み取るための最適な波長のレーザ光を、光ディスクＤまで導き、当該光ディスクＤから反射されたレーザ光を受光器まで導く。また、ピックアップケース２は、図示しないモータや、モータからの駆動力により軸芯回りに回転駆動するリードスクリュー２２などによって、当該リードスクリュー２２上を光ディスクＤの径方向に沿って移動可能となっている。
【００１４】
アクチュエータ装置３は、図２に示すように、アクチュエータケース４と、アクチュエータ可動部５と、制御手段としてのマイクロコンピュータ（図１１に示す、以下、μＣＯＭと呼ぶ）１４などを備えている。
【００１５】
アクチュエータケース４は、アクチュエータ可動部５の後述する本体部としてのレンズホルダ９をフォーカス方向Ｆ（図１中に矢印で示し、光ディスクＤの表面に対して直交する方向即ち光ディスクＤの厚み方向）やトラッキング方向Ｔ（図１中に矢印で示し、光ディスクＤの径方向）に移動させるためのマグネット１３などが取り付けられている。マグネット１３は、図３に示すように、ジッタ方向Ｊ（図１中に矢印で示し、光ディスクＤの周方向）に沿って、互いの間にレンズホルダ９を挟む位置に配置されている。アクチュエータケース４には、アクチュエータ可動部５のうち後述するホルダサスペンション８のサスペンションベース部１０が固定されている。
【００１６】
アクチュエータ可動部５は、図２、図３及び図４に示すように、対物レンズ６と、プリントコイル７（図２及び図３に示す）と、ホルダサスペンション８と、を備えている。
【００１７】
対物レンズ６は、情報読み取り用の光源から発せられ光学部品を経由してきたレーザ光を通して、当該レーザ光を光ディスクＤに照射することおよび光ディスクＤから反射されたレーザ光を通して、当該レーザ光を光学部品へ出力するためのレンズである。
【００１８】
コイル部としてのプリントコイル７は、ホルダサスペンション８のレンズホルダ９をジッタ方向Ｊに互いの間に挟んでレンズホルダ９の長手方向の側面に一対が接着剤などで取り付けられる。プリントコイル７は、基板上にコイルの配線パターンが形成されたものであり、フォーカス制御用のコイルとトラッキング制御用のコイルが夫々形成されている。また、プリントコイル７には、後述する線状弾性部材１１とはんだ付けにて電気的に接続される。
【００１９】
プリントコイル７は、線状弾性部材１１を介して、フォーカス制御やトラッキング制御のための電流が供給される。プリントコイル７は、線状弾性部材１１を介して、フォーカス制御やトラッキング制御のための電流が供給されることで、マグネット１３と協働して、レンズホルダ９即ち対物レンズ６をフォーカス方向Ｆとトラッキング方向Ｔとの双方に沿って、移動させる。これらプリントコイル７と、マグネット１３とは、特許請求の範囲に記載されたレンズホルダ９をトラッキング方向Ｔとフォーカス方向Ｆとの双方に沿って移動させる駆動部１５をなしている。
【００２０】
ホルダサスペンション８は、図３および図４に示すように、本体部としてのレンズホルダ９と、サスペンションベース部１０と、線状弾性部材１１と、緩衝部材１６と、を備えている。
【００２１】
レンズホルダ９は、例えばＬＣＰ（液晶ポリマ）等の樹脂によって略箱型に成形されている。レンズホルダ９の光ディスクＤと相対する天面部９ａの略中央には対物レンズ６を設置するための開口孔９ｂが設けられている。レンズホルダ９は、開口孔９ｂ内に対物レンズ６を設置して、当該対物レンズ６を光ディスクＤに相対した状態に位置付ける。
【００２２】
サスペンションベース部１０は、レンズホルダ９と同様に例えばＬＣＰ（液晶ポリマ）等の樹脂によって略箱型に成形されている。サスペンションベース部１０即ちアクチュエータ装置３は、ピックアップケース２にネジなどによって固定される。サスペンションベース部１０のトラッキング方向Ｔの両端部には線状弾性部材１１が取り付けられている。
【００２３】
線状弾性部材１１は、例えば銅合金などの弾性力を備えるとともに導電性の良い部材で形成され、かつ、その長手方向がジッタ方向Ｊと平行に配置されて、その両端部がサスペンションベース部１０のトラッキング方向Ｔの両端部とレンズホルダ９のトラッキング方向Ｔの両端部とに取り付けられている。また、線状弾性部材１１は、サスペンションベース部１０とレンズホルダ９の各端部では、フォーカス方向Ｆに沿って、互いに間隔をあけて二つ設けられている。
【００２４】
さらに、線状弾性部材１１は、レンズホルダ９側の一端部がプリントコイル７と電気的に接続されているとともに、サスペンションベース部１０側の他端部が外部からフォーカス制御やトラッキング制御のための電流が供給される。つまり、線状弾性部材１１は、レンズホルダ９に対するサスペンション機能の他に、プリントコイル７に電流を供給する配線の機能も合わせて持つ。
【００２５】
レンズホルダ９とサスペンションベース部１０と線状弾性部材１１は、インサート成形によりレンズホルダ９とサスペンションベース部１０を成形する際に一体に成形される。すなわち、図３に示すように、線状弾性部材１１の一端部がサスペンションベース部１０に内包され、線状弾性部材１１の他端部がレンズホルダ９に内包されるとともに、線状弾性部材１１の他の部分（即ち、中央部）は露出した状態で固定される。
【００２６】
緩衝部材１６は、円環状に形成され、図３乃至図５に示すように、内側に対物レンズ６を位置付けて、レンズホルダ９の天面部９ａに取り付けられている。また、緩衝部材１６は、対物レンズ６よりも天面部９ａから突出して配置されて、対物レンズ６に光ディスクＤが接触することを防止する。緩衝部材１６は、光ディスクＤと接触した際に、当該光ディスクＤを傷つけることがない、比較的柔らかな合成樹脂や不織布などで構成されている。
【００２７】
また、緩衝部材１６の光ディスクＤと相対する外表面には、図５及び図６に示すように、光触媒層１７が形成されている。光触媒層１７は、図６に示すように、プライマ層１８と、触媒層１９とで構成されたシート状に形成されて、プライマ層１８が緩衝部材１６の外表面に貼り付けられている。プライマ層１８は、触媒層１９中の光触媒物質によって分解されることない無機物で構成されて、緩衝部材１６を光触媒物質から保護する機能と、触媒層１９を緩衝部材１６の外表面に定着させる機能との双方を有している。
【００２８】
触媒層１９は、主に光触媒物質により構成されている。光触媒物質は、紫外光や可視光などの光を照射することで活性化され、活性化された状態で有機物が接触することにより当該有機物をより不活性な成分(主に水および炭酸ガス)に分解するものである。本実施例では、光触媒物質として、前述した情報読み取り用の光源及び触媒活性用の光源１２からのレーザ光によって、活性化する物質を用いている。また、光触媒物質として、例えば、二酸化チタンを用いることができる。また、二酸化チタンは紫外光により活性化されるが、可視光で活性化する光触媒物質として、窒素ドープ型／炭素ドープ型／硫黄ドープ型／フッ素ドープ型二酸化チタンを用いることができる。
【００２９】
光源１２は、前述したピックアップケース２の内部に取り付けられている。光源１２は、前述した情報読み取り用の光源であり、対物レンズ６を通して光ディスクＤにレーザ光を照射し、その反射光を緩衝部材１６に向かって照射可能である。
【００３０】
μＣＯＭ１４は、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００３１】
μＣＯＭ１４は、アクチュエータ可動部５のプリントコイル７に接続して、当該プリントコイル７に供給される前述した電流を制御して、アクチュエータ装置３全体の制御を司る。さらに、μＣＯＭ１４は、前述した光源１２やモータなどと接続して、これらの動作を制御して、光ピックアップ装置１全体の制御を司る。
【００３２】
μＣＯＭ１４は、光ディスクＤからの情報の読み取りを開始する際に、まず、レーザ光を照射しながら対物レンズ６を移動させ、レーザ光が光ディスクＤの記録面に合焦する対物レンズ６の位置を特定するフォーカス引込み動作を行う。このフォーカス引込み動作の開始の際に、レンズホルダ９即ち対物レンズ６を、フォーカス方向Ｆに沿って光ディスクＤから最も遠ざける。そして、μＣＯＭ１４は、光源１２からレーザ光を照射させながら、駆動部１５に主にトラッキング方向Ｔにレンズホルダ９即ち対物レンズ６を移動（振動）させる。このとき、μＣＯＭ１４は、予め定められたレンズホルダ９の共振周波数でトラッキング方向Ｔに当該レンズホルダ９が振動するように、プリントコイル７に電流を供給する。
【００３３】
すると、図７に示すように、情報読み取り用の光源からレーザ光が光ディスクＤの主に記録面で反射して、当該光ディスクＤによって反射されたレーザ光が光触媒層１７に照射される。つまり、対物レンズ６が光ディスクＤから最も遠ざかる位置ではレーザ光が光ディスクＤの記録面に合焦せず、反射したレーザ光の照射範囲は対物レンズ６の外径より広くなるので、対物レンズ６の近傍に位置する光触媒層１７にまでレーザ光が照射されるのである。なお、フォーカス引込み動作以外で、対物レンズ６を光ディスクＤから最も遠ざけて光触媒層１７にレーザ光を照射することも可能だが、上述のように、フォーカス引込み動作では対物レンズ６を移動させる必要があるので、当該動作の通常の処理において光触媒層１７にレーザ光を照射することができる。そして、光触媒層１７の触媒層１９中の光触媒物質が活性化して、緩衝部材１６に付着した埃や塵の有機物を分解する。また、レンズホルダ９の前述した振動によって、緩衝部材１６に付着した主に無機物で構成された埃や塵が緩衝部材１６の外表面上から除去される。このように、アクチュエータ装置３は、光ディスクＤによって反射されたレーザ光が光触媒層１７に照射される際に、駆動部１５に、レンズホルダ９の共振周波数で当該レンズホルダ９を移動（振動）させるμＣＯＭ１４を備えている。
【００３４】
そして、μＣＯＭ１４は、予め定められた所定の時間が経過した後、駆動部１５にレンズホルダ９即ち対物レンズ６のトラッキング方向Ｔの移動（振動）を停止させる。その後、μＣＯＭ１４は、情報読み取り用の光源からレーザ光を照射しながら、駆動部１５にレンズホルダ９即ち対物レンズ６をフォーカス方向Ｆに移動させて、フォーカス引込み動作を継続し、合焦位置を特定した後、周知のセットアップ動作を行う。
【００３５】
そして、μＣＯＭ１４は、光ディスク再生装置の図示しないスピンドルモータを駆動して、光ディスクＤを回転して、当該光ディスクＤから情報を読み取って再生する。すると、光ディスクＤの回転に伴って発生する風によって、緩衝部材１６上に残留した主に無機物で構成された埃や塵が吹き飛ばされて、緩衝部材１６の外表面上から除去される。なお、光ディスクＤの再生中であっても、当該光ディスクＤの記録面に形成されるピットからの回析、または記録面の傷などによって反射した光により緩衝材１６の光触媒層１７にレーザ光を照射できる。
【００３６】
また、前述した光ディスク再生装置の筐体２０の対物レンズ６即ち緩衝部材１６と相対する内面に、光触媒物質が反応する波長を含む光を照射する外部光源２３を設けてもよい。この場合、光ディスクＤが前述した筐体２０内に収容されていない状態で、μＣＯＭ１４が、光ピックアップ装置１を外部光源２３に相対する位置に位置付けて、図８に示すように、所定時間毎に、所定時間、外部光源２３を点灯させて、外部光源２３からの光を緩衝部材１６に向かって照射する。そして、μＣＯＭ１４即ち光ピックアップ装置１は、所定時間毎に、緩衝部材１６に付着した埃や塵の有機物を分解する。これにより、光ディスクＤが筐体２０内に収容されていない場合でも当該有機物の分解が可能になる。さらには、複数の光ディスクＤが積層配列されるチェンジャタイプの光ディスク装置では、光ピックアップ装置が光ディスクＤに対向しない待機位置であっても当該有機物の分解が可能になる。
【００３７】
本実施例によれば、対物レンズ６に光ディスクＤが接触することを防止する緩衝部材１６の外表面に光触媒層１７を形成したので、光ディスクＤによって反射されたレーザ光によって、当該光触媒層１７の光触媒物質が活性化する。このため、緩衝部材１６に有機物からなる埃や塵が付着しても、当該有機物が分解されて、無機物からなる埃や塵が当該緩衝部材１６に密着することを防止できる。したがって、本実施例のアクチュエータ装置３は、使用期間が長期間化しても、光ディスクＤの外表面を傷付けることを防止することができる。
【００３８】
また、光ディスクＤから反射されたレーザ光が光触媒層１７に照射される際に、駆動部１５にレンズホルダ９を移動（振動）させるμＣＯＭ１４を備えている。このため、レンズホルダ９の移動によりレーザ光の照射方向あるいは照射範囲を変更させるので、光ディスクＤから情報を読み取るためのレーザ光を光触媒層１７に照射することができる。
【００３９】
さらに、光ディスクＤから反射されたレーザ光が光触媒層１７に照射されながら、駆動部１５がレンズホルダ９を移動（振動）させる際に、レンズホルダ９の共振周波数で、当該レンズホルダ９を移動（振動）させている。このため、レンズホルダ９の振幅を大きくすることができるので、有機物を分解した後に、緩衝部材１６から無機物からなる埃や塵をより速やかに除去することができる。
【００４０】
また、前述した光ピックアップ装置１が、前述したアクチュエータ装置３を備えている。このため、使用期間が長期間化しても、緩衝部材１６から無機物からなる埃や塵を除去することができ、光ディスクＤの外表面を傷付けることを防止することができる
【実施例２】
【００４１】
次に、第２の実施例にかかる光ピックアップ装置１及びアクチュエータ装置３を、図９及び図１０を参照して説明する。なお、前述した第１の実施例と同一部分には、同一符号を付して説明を省略する。
【００４２】
本実施形態では、図９及び図１０に示すように、レンズホルダ９に当該レンズホルダ９の天面部９ａから立設した円柱状のボス２１を二つ設け、当該ボス２１の先端部に緩衝部材１６を取り付けている。勿論、ボス２１は、対物レンズ６よりも天面部９ａから突出して配置されている。また、ボス２１は、互いの間にトラッキング方向Ｔに沿って、対物レンズ６を位置付ける位置に配置されている。
【００４３】
この実施例においても、光ピックアップ装置１及びアクチュエータ装置３は、前述した第１の実施例と同様に動作して、同様の効果を奏でる。
【００４４】
前述した実施例では、光触媒層１７をプライマ層１８と触媒層１９とで構成したが、本発明では、図１１に示すように、光触媒層１７を、光触媒物質と無機物からなるバインダとを混合して構成して、緩衝部材１６の外表面に塗布するなどして構成しても良い。
【００４５】
また、前述した実施例では、外部光源２３を緩衝部材１６と相対して配置したが、本発明では、緩衝部材１６にレーザ光を照射して、光触媒層１７を活性可能であれば、例えば、図１２に示すように、ななめ側方からレーザ光を光触媒層１７に照射する位置に、外部光源２３を配置しても良い。この場合、筐体２０内に光ディスクＤが収容されているか否かに関わらず、緩衝部材１６に付着した埃や塵の有機物を分解することができる。
【００４６】
さらに、前述した実施例では、対物レンズ６を一つのみ備えた光ピックアップ装置１及びアクチュエータ装置３を説明しているが、本発明では、図１３及び図１４に示すように、対物レンズ６を複数備えた光ピックアップ装置１及びアクチュエータ装置３に適用しても良い。なお、図１１乃至図１４において、前述した実施例と同一部分には、同一符号を付して説明を省略する。
【００４７】
また、本発明では、光ピックアップ装置１及びアクチュエータ装置３が光ディスクＤからの情報の読み取りを行っていない状態の如何なるタイミングにおいて、情報読み取り用の光源からのレーザ光を光ディスクＤの主に記録面で反射させて、当該レーザ光を緩衝部材１６に照射しても良い。例えば、光ディスクＤから読み取った情報によってショックプルーフメモリの容量が殆どなくなって、光ディスクＤからの情報の読み取りを一時停止している際や、例えばラジオ放送、テレビ放送などの他のソースの情報を再生している際に、前述したように、レーザ光を緩衝部材１６に照射しても良い。この場合、各種情報の再生を中断せずに緩衝部材１６に付着した埃や塵の有機物が分解されるので、ユーザーが煩わしさを感じることがなく、装置の利便性を向上させることができる。
【００４８】
前述した実施例によれば、以下のアクチュエータ装置１が得られる。
【００４９】
（付記）  光ディスクＤから情報を読み取るためのレーザ光が通される対物レンズ６と、前記対物レンズ６が取り付けられた本体部９と、前記本体部９を前記光ディスクＤのトラッキング方向Ｔとフォーカス方向Ｆとの双方に移動させる駆動部１５とを備えたアクチュエータ装置３において、
前記本体部９に設けられかつ前記対物レンズ６に前記光ディスクＤが接触することを防止する緩衝部材１６と、
前記緩衝部材１６の外表面に設けられかつ前記レーザ光によって活性化される光触媒物質を含んだ光触媒層１７と、を備えたことを特徴とするアクチュエータ装置３。
【００５０】
付記によれば、対物レンズ６に光ディスクＤが接触することを防止する緩衝部材１６の外表面に光触媒層１７を形成したので、光ディスクＤによって反射されたレーザ光によって、当該光触媒層１７の光触媒物質が活性化する。このため、緩衝部材１６に有機物からなる埃や塵が付着しても、当該有機物が分解されて、無機物からなる埃や塵が当該緩衝部材１６に密着することを防止できる。したがって、本実施例のアクチュエータ装置３は、使用期間が長期間化しても、光ディスクＤの外表面を傷付けることを防止することができる。
【００５１】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００５２】
【図１】本発明の第１の実施例にかかる光ピックアップ装置の要部斜視図である。
【図２】図１に示された光ピックアップ装置のアクチュエータ装置の要部斜視図である。
【図３】図２に示されたアクチュエータ装置のアクチュエータ可動部の斜視図である。
【図４】図３に示されたアクチュエータ可動部を模式的に示す斜視図である。
【図５】図４中のＶ−Ｖ線に沿う断面図である。
【図６】図５に示された光触媒層を拡大して示す断面図である。
【図７】図５に示されたアクチュエータ装置の緩衝部材に情報読み取り用の光源からのレーザ光を照射している状態を模式的に示す断面図である。
【図８】図５に示されたアクチュエータ装置の緩衝部材に触媒活性用の光源からの光を照射している状態を模式的に示す断面図である。
【図９】本発明の第２の実施例にかかる光ピックアップ装置のアクチュエータ装置のアクチュエータ可動部を模式的に示す斜視図である。
【図１０】図９中のＸ−Ｘ線に沿う断面図である。
【図１１】図６に示された光触媒層の変形例を拡大して示す断面図である。
【図１２】図８に示された触媒活性用の光源の変形例を模式的に示す断面図である。
【図１３】本発明の変形例の光ピックアップ装置のアクチュエータ装置のアクチュエータ可動部を模式的に示す斜視図である。
【図１４】図１３中のＸＩＶ−ＸＩＶ線に沿う断面図である。
【符号の説明】
【００５３】
１  光ピックアップ装置
３  アクチュエータ装置
６  対物レンズ
９  レンズホルダ（本体部）
１４  μＣＯＭ（制御手段）
１５  駆動部
１６  緩衝部材
１７  光触媒層
Ｄ  光ディスク
Ｆ  フォーカス方向（厚み方向）
Ｔ  トラッキング方向（径方向）
【図１】
2009032301.tif 000003
【図２】
2009032301.tif 000004
【図３】
2009032301.tif 000005
【図４】
2009032301.tif 000006
【図５】
2009032301.tif 000007
【図６】
2009032301.tif 000008
【図７】
2009032301.tif 000009
【図８】
2009032301.tif 000010
【図９】
2009032301.tif 000011
【図１０】
2009032301.tif 000012
【図１１】
2009032301.tif 000013
【図１２】
2009032301.tif 000014
【図１３】
2009032301.tif 000015
【図１４】
2009032301.tif 000016